(57)【特許請求の範囲】
【請求項１】
外壁下地材（２）（２）間の目地部（５）を、目地部用タイルユニット（４）で覆い隠すようにした外壁構造であって、前記目地部用タイルユニット（４）は、複数枚のタイル（１０）を並設一体化してなるユニット本体（１５）裏面に固定板（１６）を張り合わせてなり、前記固定板（１６）の前記ユニット本体（１５）から張り出した突片（２１）（２２）に、ビス挿通用長穴（２５）（２６）を形成して、それらビス挿通用長穴（２５）（２６）に挿通したビス（３０）を、前記外壁下地材（２）（２）の表面にねじ込むことで、前記目地部用タイルユニット（４）を、前記目地部（５）を跨ぐようにして前記外壁下地材（２）（２）の表面に張り付け、前記外壁下地材（２）（２）の表面に着脱可能に取り付けた被覆用タイル（４０）によって、前記突片（２１）（２２）を覆い隠すようにしたことを特徴とするタイル張り外壁構造。
【請求項２】
前記被覆用タイル（４０）の裏面に、面ファスナー（４１）（４１）における雄面部（４２）（４２）又は雌面部（４３）（４３）のうちの一方を貼り付けるとともに、前記外壁下地材（２）（２）の表面に、前記目地部（５）を挟むようにして、前記面ファスナー（４１）（４１）における雄面部（４２）（４２）又は雌面部（４３）（４３）のうちの他方を貼り付けて、前記雄面部（４２）（４２）と雌面部（４３）（４３）とを接合させながら、前記被覆用タイル（４０）を、前記目地部（５）を跨ぐように取り付けた請求項１記載のタイル張り外壁構造。
【請求項３】
前記外壁下地材（２）（２）の表面に、前記面ファスナー（４１）（４１）を収容する凹所（８）（８）を形成した請求項２記載のタイル張り外壁構造。
【請求項４】
前記固定板（１６）の突片（２１）（２２）は、前記ユニット本体（１５）の上端部から上向きに張り出した上側突片（２１）（２１）と、前記ユニット本体（１５）の下端部から下向きに張り出した下側突片（２２）（２２）とからなり、複数の前記目地部用タイルユニット（４）を、縦方向の前記目地部（５）に沿って配列して、下側の前記目地部用タイルユニット（４）の上側突片（２１）（２１）と上側の前記目地部用タイルユニット（４）の下側突片（２２）（２２）とを重ね合わせた状態で、これら上側突片（２１）（２１）及び下側突片（２２）（２２）の互いに一致したビス挿通用長穴（２５）（２６）に挿通したビス（３０）（３０）を、前記外壁下地材（２）（２）の表面にねじ込むようにした請求項１乃至３のいずれかに記載のタイル張り外壁構造。
【請求項５】
前記下側突片（２２）（２２）のビス挿通用長穴（２６）（２６）を下方へ向けて開放して、前記上側突片（２１）（２１）に対する前記下側突片（２２）（２２）の重ね合わせに際して、前記上側突片（２１）（２１）のビス挿通用長穴（２５）（２５）に挿通させながら前記外壁下地材（２）（２）の表面にねじ込んだ仮止め状態の前記ビス（３０）（３０）を、前記開放部分から前記ビス挿通用長穴（２６）（２６）へ差し入れ可能とした請求項４記載のタイル張り外壁構造。
【請求項６】
外壁下地材（２）（２）間の目地部（５）を、目地部用タイルユニット（４４）で覆い隠すようにした外壁構造であって、前記目地部用タイルユニット（４４）は、複数枚のタイル（１０）を並設一体化してなるユニット本体（１５）裏面に固定板（１６）を張り合わせてなり、前記固定板（１６）の前記ユニット本体（１５）裏側の基片（２０）に、ビス挿通用長穴（４５）（４５）を形成するとともに、前記固定板（１６）の前記ユニット本体（１５）の下端部から下向きに張り出した下側突片（２２）（２２）に、ビス挿通用長穴（２６）（２６）を形成して、複数の前記目地部用タイルユニット（４４）を、縦方向の前記目地部（５）に沿って配列して、下側の前記目地部用タイルユニット（４４）の基片（２０）と上側の前記目地部用タイルユニット（４４）の下側突片（２２）（２２）とを重ね合わせた状態で、これら基片（２０）及び下側突片（２２）（２２）の互いに一致したビス挿通用長穴（２６）（４５）に、下側の前記目地部用タイルユニット（４４）におけるタイル（１０）（１０）間の目地部（４６）からビス（３０）（３０）を挿通させて、それらビス（３０）（３０）を、前記外壁下地材（２）（２）の表面にねじ込むことで、前記目地部用タイルユニット（４４）を、前記目地部（５）を跨ぐようにして前記外壁下地材（２）（２）の表面に張り付けるようにしたことを特徴とするタイル張り外壁構造。
【請求項７】
前記下側突片（２２）（２２）のビス挿通用長穴（２６）（２６）を下方へ向けて開放して、前記基片（２０）に対する前記下側突片（２２）（２２）の重ね合わせに際して、前記基片（２０）のビス挿通用長穴（４５）（４５）に挿通させながら前記外壁下地材（２）（２）の表面にねじ込んだ仮止め状態の前記ビス（３０）（３０）を、前記開放部分から前記ビス挿通用長穴（２６）（２６）へ差し入れ可能とした請求項６記載のタイル張り外壁構造。
【発明の詳細な説明】
【技術分野】
【０００１】
この発明は、住宅やマンション等の建物におけるタイル張り外壁構造に関する。
【背景技術】
【０００２】
従来より、タイル張り外壁として、例えば特許文献１にも開示されているように、外壁下地材の表面にモルタルや接着剤を介してタイルを張り付けるようにした構造のものが広く知られている。
【０００３】
また、近年では、例えば特許文献２にも開示されているように、複数枚のタイルを並設一体化してなるタイルユニットが各種提案されており、このようなタイルユニットを使用することで、タイルの張り付け作業を軽減して、施工性を高めることができる。この種のタイルユニットも、外壁下地材の表面にモルタルや接着剤を介して張り付けるのが一般的である。
【先行技術文献】
【特許文献】
【０００４】
【特許文献１】特開２００１−３１７１８１号公報
【特許文献２】特開２００６−４５９７０号公報
【発明の概要】
【発明が解決しようとする課題】
【０００５】
上記のようなタイル張り外壁においては、外壁下地材間の目地部を回避しながら、タイルやタイルユニットを張り付ける場合と、外壁下地材間の目地部を覆い隠しながら、タイルやタイルユニットの張り付ける場合とがある。
【０００６】
ところが、前者の場合には、外壁表面において、タイル間の目地部（例えば幅５〜７ｍｍ）よりも幅広の外壁下地材間の目地部（例えば幅１０〜１５ｍｍ）が露出して目立つことになり、しかも外壁下地材間の目地部には光沢のあるシーリング材が充填されていることが多く、タイル間の目地部と比べて色合や質感も異なることから、美感上好ましくないといった不具合があった。
【０００７】
また、後者の場合には、外壁下地材間の目地部に充填したシーリング材の経年劣化に伴う防水メンテナンス工事に際して、目地部を覆っているタイルやタイルユニットを剥がす必要があるが、これらタイルやタイルユニットは外壁下地材の表面に強固に接着されていて容易に剥がすことができず、防水メンテナンス工事が非常に面倒になるといった不具合があった。さらに、地震発生時において、外壁下地材の挙動によって目地部が変形することで、目地部を覆うタイルに欠けや割れ等が発生し易く、タイルの張替えを伴う面倒な修復工事が必要となることが多いといった不具合もあった。
【０００８】
この発明は、上記の不具合を解消して、外壁表面の意匠性を向上することができ、しかも外壁下地材間の目地部における防水メンテナンス工事を簡単に行うことができ、地震発生時におけるタイルの破損も低減することができるタイル張り外壁構造の提供を目的とする。
【課題を解決するための手段】
【０００９】
上記の課題を解決するため、この発明のタイル張り外壁構造は、外壁下地材２、２間の目地部５を、目地部用タイルユニット４で覆い隠すようにしたものであって、前記目地部用タイルユニット４は、複数枚のタイル１０を並設一体化してなるユニット本体１５裏面に固定板１６を張り合わせてなり、前記固定板１６の前記ユニット本体１５から張り出した突片２１、２２に、ビス挿通用長穴２５、２６を形成して、それらビス挿通用長穴２５、２６に挿通したビス３０を、前記外壁下地材２、２の表面にねじ込むことで、前記目地部用タイルユニット４を、前記目地部５を跨ぐようにして前記外壁下地材２、２の表面に張り付け、前記外壁下地材２、２の表面に着脱可能に取り付けた被覆用タイル４０によって、前記突片２１、２２を覆い隠すようにしたことを特徴とする。
【００１０】
具体的に、前記被覆用タイル４０の裏面に、面ファスナー４１、４１における雄面部４２、４２又は雌面部４３、４３のうちの一方を貼り付けるとともに、前記外壁下地材２、２の表面に、前記目地部５を挟むようにして、前記面ファスナー４１、４１における雄面部４２、４２又は雌面部４３、４３のうちの他方を貼り付けて、前記雄面部４２、４２と雌面部４３、４３とを接合させながら、前記被覆用タイル４０を、前記目地部５を跨ぐように取り付けている。さらに、前記外壁下地材２、２の表面に、前記面ファスナー４１、４１を収容する凹所８、８を形成している。
【００１１】
また、前記固定板１６の突片２１、２２は、前記ユニット本体１５の上端部から上向きに張り出した上側突片２１、２１と、前記ユニット本体１５の下端部から下向きに張り出した下側突片２２、２２とからなり、複数の前記目地部用タイルユニット４を、縦方向の前記目地部５に沿って配列して、下側の前記目地部用タイルユニット４の上側突片２１、２１と上側の前記目地部用タイルユニット４の下側突片２２、２２とを重ね合わせた状態で、これら上側突片２１、２１及び下側突片２２、２２の互いに一致したビス挿通用長穴２５、２６に挿通したビス３０、３０を、前記外壁下地材２、２の表面にねじ込むようにしている。さらに、前記下側突片２２、２２のビス挿通用長穴２６、２６を下方へ向けて開放して、前記上側突片２１、２１に対する前記下側突片２２、２２の重ね合わせに際して、前記上側突片２１、２１のビス挿通用長穴２５、２５に挿通させながら前記外壁下地材２、２の表面にねじ込んだ仮止め状態の前記ビス３０、３０を、前記開放部分から前記ビス挿通用長穴２６、２６へ差し入れ可能としている。
【００１２】
また、別の発明のタイル張り外壁構造は、外壁下地材２、２間の目地部５を、目地部用タイルユニット４４で覆い隠すようにしたものであって、前記目地部用タイルユニット４４は、複数枚のタイル１０を並設一体化してなるユニット本体１５裏面に固定板１６を張り合わせてなり、前記固定板１６の前記ユニット本体１５裏側の基片２０に、ビス挿通用長穴４５、４５を形成するとともに、前記固定板１６の前記ユニット本体１５の下端部から下向きに張り出した下側突片２２、２２に、ビス挿通用長穴２６、２６を形成して、複数の前記目地部用タイルユニット４４を、縦方向の前記目地部５に沿って配列して、下側の前記目地部用タイルユニット４４の基片２０と上側の前記目地部用タイルユニット４４の下側突片２２、２２とを重ね合わせた状態で、これら基片２０及び下側突片２２、２２の互いに一致したビス挿通用長穴２６、４５に、下側の前記目地部用タイルユニット４４におけるタイル１０、１０間の目地部４６からビス３０、３０を挿通させて、それらビス３０、３０を、前記外壁下地材２、２の表面にねじ込むことで、前記目地部用タイルユニット４４を、前記目地部５を跨ぐようにして前記外壁下地材２、２の表面に張り付けるようにしたことを特徴とする。また、前記下側突片２２、２２のビス挿通用長穴２６、２６を下方へ向けて開放して、前記基片２０に対する前記下側突片２２、２２の重ね合わせに際して、前記基片２０のビス挿通用長穴４５、４５に挿通させながら前記外壁下地材２、２の表面にねじ込んだ仮止め状態の前記ビス３０、３０を、前記開放部分から前記ビス挿通用長穴２６、２６へ差し入れ可能としている。
【発明の効果】
【００１４】
この発明のタイル張り外壁構造においては、外壁下地材間の目地部が覆い隠されていて、外部に露出することがないので、外壁表面の意匠性を良好に維持することができる。しかも、目地部を覆い隠している目地部用タイルユニットは、その固定板を外壁下地材の表面にビス止めすることで、外壁下地材の表面に張り付けられていることから、目地部用タイルユニットの着脱が容易であって、外壁下地材間の目地部における防水メンテナンス工事を簡単に行うことができる。さらに、目地部用タイルユニットの固定板に形成したビス挿通用長穴にビスを挿通させているので、地震発生時において、外壁下地材の挙動によって目地部が変形して、目地部用タイルユニットに負荷がかかっても、ビス挿通用長穴の範囲内におけるビスに対する目地部用タイルユニットの位置ずれによって負荷を吸収することができ、タイルの破損を低減することができる。
【００１５】
また、固定板の突片を外壁下地材の表面にビス止めして、それら突片を着脱可能な被覆用タイルによって覆い隠すことで、ビス止め部分を外部から見えないようにして、外壁表面の意匠性をより一層高めることができる。さらに、被覆用タイルを面ファスナーを介して取り付けることで、地震発生時において、被覆用タイルに負荷がかかっても、面ファスナーの接合部分の位置ずれや部分的な外れによって負荷を吸収し、被覆用タイルの破損を低減することができる。さらにまた、外壁下地材の表面に形成した凹所に面ファスナーを収容することで、被覆用タイルの浮き上がりが抑えて、意匠性をより一層向上することができる。
【００１６】
また、上下に隣接する目地部用タイルユニットの突片同士、或いは、基片と突片とを重ね合わせて共締め固定することで、ビス止め箇所を少なくして、施工性を高めることができる。さらにまた、上側突片や基片を仮止めした仮止め状態のビスを、下側突片のビス挿通用長穴へ差し入れるようにしながら、突片同士、或いは、基片と突片とを重ね合わせることで、上下に隣接する目地部用タイルユニットを、それぞれ位置決めしながら、簡単に張り付けることができ、施工性の向上を図ることができる。
【図面の簡単な説明】
【００１８】
【図１】この発明の一実施形態に係るタイル張り外壁の分解斜視図である。
【図２】同じくその要部正面図である。
【図３】一般部用タイルユニットを示す図である。
【図４】目地部用タイルユニットを示す図である。
【図５】突片の共締め固定状態を示す斜視図である。
【図６】突片の共締め固定作業を示す斜視図である。
【図７】タイル張り外壁の要部横断面図である。
【図８】他の実施形態に係るタイル張り外壁の分解斜視図である。
【図９】同じくその要部正面図である。
【図１０】目地部用タイルユニットを示す図である。
【図１１】タイル張り外壁の要部横断面図である。
【図１２】参考例に係るタイル張り外壁の分解斜視図である。
【図１３】目地部用タイルユニットを示す図である。
【図１４】タイル張り外壁の要部横断面図である。
【発明を実施するための形態】
【００１９】
この発明の一実施形態に係るタイル張り外壁は、図１及び図２に示すように、建物躯体１に取り付けられた外壁下地材２・・の表面に、複数の一般部用タイルユニット３・・及び目地部用タイルユニット４・・が整列状態で張り付けられている。
【００２０】
外壁下地材２は、例えばサイディング材等からなり、地震発生時において建物躯体１に揺れが生じると、この揺れに追従して回動することで、脱落やひび割れを生じることなく、地震の力を受け流すように構成されている。そして、横方向に隣接する外壁下地材２、２間には、幅１０〜１５ｍｍ程度の縦方向の目地部５が形成されている。なお、目地部５には、図７に示すように、バックアップ材６を介してシーリング材７が充填されている。
【００２１】
一般部用タイルユニット３は、図３に示すように、所定形状に並べた複数枚のタイル１０・・の裏面に跨って、合成樹脂製の連結用ネット１１を貼り合わせることで、複数枚のタイル１０・・を並設一体化してなる。そして、一般部用タイルユニット３・・は、外壁下地材２・・の目地部５周辺を除く表面に接着剤を介してそれぞれ張り付けられている。
【００２２】
目地部用タイルユニット４は、外壁下地材２、２間の縦方向の目地部５を覆い隠すためのものであって、図４に示すように、ユニット本体１５の裏面に金属製の固定板１６を接着剤を介して貼り合わせてなる。ユニット本体１５は、一般部用タイルユニット３と同様に、所定形状に並べた複数枚のタイル１０・・の裏面に跨って、合成樹脂製の連結用ネット１１を貼り合わせることで、複数枚のタイル１０・・を並設一体化してなる。
【００２３】
固定板１６は、方形状の基片２０と、この基片２０の上端部から延出して、ユニット本体１５の上端部から上向きに張り出した左右一対の上側突片２１、２１と、基片２０の下端部から延出して、ユニット本体１５の下端部から下向きに張り出した左右一対の下側突片２２、２２とからなる。なお、上側突片２１、２１は、下側突片２２、２２よりも幅広に形成されている。
【００２４】
また、固定板１６には、左右一対の段差部２３、２３が縦方向に沿って形成されていて、これにより上側突片２１、２１及び下側突片２２、２２を含めた固定板１６の左右端部が、ユニット本体１５の裏面に対して僅かに離間した状態となっている。
【００２５】
さらに、上側突片２１、２１及び下側突片２２、２２には、後述するビス３０を挿通させるためのビス挿通用長穴２５、２６・・が縦方向に沿ってそれぞれ形成されている。また、下側突片２２、２２のビス挿通用長穴２６、２６は、下方へ向けて開放されていて、その開放部分からビス挿通用長穴２６、２６へのビス３０、３０の差し入れを可能としている。
【００２６】
そして、目地部用タイルユニット４・・は、外壁下地材２、２間の縦方向の目地部５に沿って配列された状態で、それら上端部に設けた左右一対の上側突片２１、２１、及び、それら下端部に設けた左右一対の下側突片２２、２２を、目地部５を挟むように配置しながら、外壁下地材２、２の表面にビス３０・・止めすることで、目地部５を跨ぐようにして外壁下地材２、２の表面にそれぞれ張り付けられている。
【００２７】
この張付状態において、図５に示すように、下側に位置する目地部用タイルユニット４の上側突片２１、２１と、上側に位置する目地部用タイルユニット４の下側突片２２、２２とが重ね合わされて、互いに一致したビス挿通用長穴２５、２６・・に挿通されたビス３０、３０が、外壁下地材２、２の表面にねじ込まれている。
【００２８】
この共締め固定に際しては、図６に示すように、下側に位置する目地部用タイルユニット４を先付けして、その上側突片２１、２１のビス挿通用長穴２５、２５に挿通させたビス３０、３０を、外壁下地材２、２の表面に軽くねじ込んで仮止め状態とし、続いて上側に位置する目地部用タイルユニット４の下側突片２２、２２を、そのビス挿通用長穴２６、２６の開放部分からビス挿通用長穴２６、２６へ仮止め状態のビス３０、３０を差し入れるように下方へスライドさせながら、下側に位置する目地部用タイルユニット４の上側突片２１、２１に重ね合わせている。そして、この状態で、仮止め状態のビス３０、３０をさらにねじ込んで本締めしている。これにより、目地部用タイルユニット４・・を、それぞれ位置決めしながら、簡単に張り付けることができる。
【００２９】
また、目地部用タイルユニット４・・を張り付けただけでは、図５に示すように、共締め固定した突片２１、２２・・が外部に露出していることから、これら突片２１、２２・・を被覆用タイル４０・・によって覆い隠すようにしている。
【００３０】
被覆用タイル４０は、一般部用タイルユニット３・・及び目地部用タイルユニット４・・における１枚分のタイル１０と同じものが使用されていて、一対の面ファスナー４１、４１を介して外壁下地材２、２の表面に着脱可能に取り付けられている。
【００３１】
具体的には、図１及び図７に示すように、外壁下地材２、２における縦方向の目地部５を挟んだ側端部表面に、目地部５に沿って面ファスナー４１、４１を収容する凹所８、８が形成されている。そして、被覆用タイル４０の裏面に、面ファスナー４１、４１における雄面部４２、４２（雌面部４３、４３であっても良い。）が貼り付けられるとともに、外壁下地材２、２の凹所８、８表面に、目地部５を挟むようにして、面ファスナー４１、４１における雌面部４３、４３（雄面部４２、４２であっても良い。）が貼り付けられている。なお、雌面部４３、４３は、左右のビス３０・・止め状態の突片２１、２２・・間に配置されている。そして、これら雄面部４２、４２と雌面部４３、４３とを接合することで、被覆用タイル４０が目地部５を跨ぐように取り付けられている。
【００３２】
なお、実際の施工に際しては、被覆用タイル４０の裏面に接合状態の一対の面ファスナー４１、４１を貼り付けておいて、それら面ファスナー４１、４１における雌面部４３、４３（雄面部４２、４２であっても良い。）の裏面を、外壁下地材２、２の凹所８、８表面に貼り付けることで、被覆用タイル４０を取り付けるようにしている。
【００３３】
この被覆用タイル４０の取付状態において、図７に示すように、面ファスナー４１、４１の大部分が外壁下地材２、２の凹所８、８に収容されて、被覆用タイル４０の浮き上がりが必要最小限に抑えられて、外壁下地材２、２の表面と被覆用タイル４０の裏面との間の隙間に、共締め固定した突片２１、２２・・及びビス３０・・の頭部が収容された状態となっている。そして、被覆用タイル４０・・の表面と一般部用タイルユニット３・・及び目地部用タイルユニット４・・の表面とが、面一に揃えられている。
【００３４】
上記のタイル張り外壁においては、目地部用タイルユニット４・・及び被覆用タイル４０・・によって、外壁下地材２、２間の目地部５が覆い隠されていて、外部に露出することがないので、外壁表面の意匠性を良好に維持することができる。
【００３５】
また、外壁下地材２、２間の目地部５に充填したシーリング材７の経年劣化に伴う防水メンテナンス工事に際しては、まず被覆用タイル４０・・を止め付けている面ファスナー４１・・の接合を解除して、被覆用タイル４０・・を取り外すことで、目地部用タイルユニット４・・の突片２１、２２・・を露出させる。続いて、突片２１、２２・・を止め付けているビス３０・・を緩めて、目地部用タイルユニット４・・を取り外すことで、目地部５全体を露出させる。そして、シーリング材７の補修や交換を行った後、取り外した目地部用タイルユニット４・・の突片２１、２２・・を、外壁下地材２、２の表面に再度ビス３０・・止めして、元の張付状態に戻す。このとき、突片２１、２２・・のビス挿通用長穴２５、２６・・の範囲内において、ビス３０・・の挿通位置を変更することができ、外壁下地材２、２の表面に形成されている既存のビス穴を回避して、ビス３０・・をしっかりとねじ込むことができる。最後に、取り外した被覆用タイル４０・・を再度取り付けて、目地部用タイルユニット４・・の突片２１、２２・・を覆い隠すことで、工事が完了する。このように、被覆用タイル４０・・及び目地部用タイルユニット４・・の着脱が容易であることから、外壁下地材２、２間の目地部５における防水メンテナンス工事を簡単に行うことができる。
【００３６】
さらに、地震発生時には、外壁下地材２、２の挙動によって目地部５が変形すると、目地部用タイルユニット４・・及び被覆用タイル４０・・に負荷がかかることになるが、目地部用タイルユニット４・・は、突片２１、２２・・のビス挿通用長穴２５、２６・・の範囲内において、外壁下地材２、２にねじ込んだビス３０・・に対する位置ずれが許容されていることから、この位置ずれによって負荷を吸収して、タイル１０・・の欠けや割れ等を防止することができる。また、被覆用タイル４０・・は、面ファスナー４１・・を使用して取り付けられていることから、面ファスナー４１・・の接合部分の位置ずれや部分的な外れによって負荷を吸収して、欠けや割れ等を防止することができる。
【００３７】
なお、上記実施形態においては、被覆用タイル４０・・を面ファスナー４１・・を使用して取り付けていたが、例えば目地部用タイルユニット４・・の突片２１、２２・・に形成したフックに引っ掛けるようにして取り付けるようにしても良い。
【００３８】
図８及び図９は、他の実施形態に係るタイル張り外壁を示している。このタイル張り外壁においては、被覆用タイル４０・・を使用することなく、目地部用タイルユニット４４・・を外壁下地材２、２間の縦方向の目地部５に沿って連続的に配列することで、目地部５を覆い隠すようにしている。なお、被覆用タイル４０・・を使用しないことから、外壁下地材２、２には面ファスナー４１、４１を収容するための凹所８、８は形成されていない。その他の構成は、上記実施形態と同様であり、図において上記実施形態と同様の機能を有する部材については同符号を付してある。
【００３９】
目地部用タイルユニット４４は、図１０に示すように、固定板１６において上側突片２１、２１が廃止されていて、固定板１６におけるユニット本体１５裏側の基片２０の左右端部（段差部２３、２３によってユニット本体１５の裏面から離間した状態の左右端部）に、ビス挿通用長穴４５、４５が横方向に沿ってそれぞれ形成されている。具体的に、これらビス挿通用長穴４５、４５は、ユニット本体１５の最上段のタイル１０とその直下のタイル１０との間の幅５〜７ｍｍ程度の目地部４６に対応する位置に形成されている。また、固定板１６の下側突片２２、２２は、やや長めに張り出している。それ以外の構造は、上述した目地部用タイルユニット４と同様である。
【００４０】
そして、目地部用タイルユニット４４・・は、外壁下地材２、２間の縦方向の目地部５に沿って配列された状態で、その基片２０及び下側突片２２、２２を外壁下地材２、２の表面にビス３０・・止めすることで、目地部５を跨ぐようにして外壁下地材２、２の表面にそれぞれ張り付けられている。
【００４１】
この張付状態において、図９及び図１１に示すように、下側に位置する目地部用タイルユニット４４の基片２０の上端部と、上側に位置する目地部用タイルユニット４４の下側突片２２、２２とが重ね合わされて、互いに一致したビス挿通用長穴２６、４５・・に、下側の目地部用タイルユニット４４における上記のタイル１０、１０間の目地部４６を通してビス３０、３０が挿通されて、それらビス３０、３０が、外壁下地材２、２の表面にねじ込まれている。
【００４２】
この共締め固定に際しては、下側に位置する目地部用タイルユニット４４を先付けして、その基片２０のビス挿通用長穴４５、４５に挿通させたビス３０、３０を、外壁下地材２、２の表面に軽くねじ込んで仮止め状態とし、続いて上側に位置する目地部用タイルユニット４４の下側突片２２、２２を、そのビス挿通用長穴２６、２６の開放部分からビス挿通用長穴２６、２６へ仮止め状態のビス３０、３０を差し入れるように下方へスライドさせながら、下側に位置する目地部用タイルユニット４の基片２０に重ね合わせている。そして、この状態で、仮止め状態のビス３０、３０をさらにねじ込んで本締めしている。これにより、目地部用タイルユニット４４・・を、それぞれ位置決めしながら、簡単に張り付けることができる。
【００４３】
上記のタイル張り外壁においては、目地部用タイルユニット４４によって、外壁下地材２、２間の目地部５が覆い隠されていて、外部に露出することがないので、外壁表面の意匠性を良好に維持することができる。
【００４４】
また、外壁下地材２、２間の目地部５に充填したシーリング材７の経年劣化に伴う防水メンテナンス工事に際しては、目地部用タイルユニット４４・・の基片２０・・及び下側突片２２・・を止め付けているビス３０・・を、上記のタイル１０、１０間の目地部４６を通して緩めて、目地部用タイルユニット４４・・を取り外すことで、目地部５全体を露出させる。そして、シーリング材７の補修や交換を行った後、取り外した目地部用タイルユニット４４・・の基片２０・・及び下側突片２２・・を、外壁下地材２、２の表面に再度ビス３０・・止めして、元の張付状態に戻すことで、工事が完了する。このように、目地部用タイルユニット４４・・の着脱が容易であることから、外壁下地材２、２間の目地部５における防水メンテナンス工事を簡単に行うことができる。
【００４５】
さらに、地震発生時には、外壁下地材２、２の挙動によって目地部５が変形すると、目地部用タイルユニット４４・・に負荷がかかることになるが、目地部用タイルユニット４４・・は、基片２０・・のビス挿通用長穴４５・・の範囲内において、外壁下地材２、２にねじ込んだビス３０・・に対する位置ずれが許容されていることから、この位置ずれによって負荷を吸収して、タイル１０・・の欠けや割れ等を防止することができる。
【００４６】
図１２は、参考例に係るタイル張り外壁を示している。このタイル張り外壁は、上記のような目地部用タイルユニット４、４４・・、被覆用タイル４０・・の代わりに、別の目地部用タイルユニット５０・・を使用して、これら目地部用タイルユニット５０・・を外壁下地材２、２間の縦方向の目地部５に沿って連続的に配列することで、目地部５を覆い隠すようにしている。なお、その他の構成は、上記実施形態と同様であり、図において上記実施形態と同様の機能を有する部材については同符号を付してある。
【００４７】
目地部用タイルユニット５０は、図１３に示すように、所定形状に並べた複数枚のタイル１０・・の裏面に跨って、合成樹脂製の連結用ネット１１を貼り合わせることで、複数枚のタイル１０・・を並設一体化してなるユニット本体１５を備えている。そして、ユニット本体１５の裏面に、帯状に形成された一対の面ファスナー５１、５１における雄面部５２、５２(雌面部５３、５３であっても良い。) が縦方向に沿って互いに平行に貼り付けられるとともに、外壁下地材２、２の凹所８、８表面に、目地部５を挟むようにして、面ファスナー５１、５１における雌面部５３、５３（雄面部５２、５２であっても良い。）が縦方向に沿って互いに平行に貼り付けられ、これら雄面部５２、５２と雌面部５３、５３とを接合することで、目地部用タイルユニット５０が目地部５を跨ぐようにして外壁下地材２、２の表面に張り付けられている。
【００４８】
なお、実際の施工に際しては、目地部用タイルユニット５０の裏面に接合状態の面ファスナー５１、５１を貼り付けておいて、その面ファスナー５１、５１における雌面部５３、５３（雄面部５２、５２であっても良い。）の裏面を、外壁下地材２、２の凹所８、８表面に貼り付けることで、目地部用タイルユニット５０を張り付けるようにしている。
【００４９】
この目地部用タイルユニット５０の張付状態において、図１４に示すように、面ファスナー５１、５１の大部分が外壁下地材２、２の凹所８、８に収容されて、目地部用タイルユニット５０の浮き上がりが抑えられている。そして、一般部用タイルユニット３・・の表面と目地部用タイルユニット５０・・の表面とが、面一に揃えられている。
【００５０】
上記のタイル張り外壁においては、目地部用タイルユニット５０・・によって、外壁下地材２、２間の目地部５が覆い隠されていて、外部に露出することがないので、外壁表面の意匠性を良好に維持することができる。
【００５１】
また、外壁下地材２、２間の目地部５に充填したシーリング材７の経年劣化に伴う防水メンテナンス工事に際しては、目地部用タイルユニット５０・・を止め付けている面ファスナー５１・・の接合を解除して、目地部用タイルユニット５０・・を取り外すことで、目地部５全体を露出させる。そして、シーリング材７の補修や交換を行った後、取り外した目地部用タイルユニット５０・・を再度張り付けて、工事が完了する。このように、目地部用タイルユニット５０・・の着脱が容易であることから、外壁下地材２、２間の目地部５における防水メンテナンス工事を簡単に行うことができる。
【００５２】
さらに、地震発生時には、外壁下地材２、２の挙動によって目地部５が変形すると、目地部用タイルユニット５０・・に負荷がかかることになるが、目地部用タイルユニット５０・・は、面ファスナー５１・・を使用して張り付けられていることから、面ファスナー５１・・の接合部分の位置ずれや部分的な外れによって負荷を吸収して、タイル１０・・の欠けや割れ等を防止することができる。
【００５３】
なお、この発明は、上記実施形態に限定されるものではなく、この発明の範囲内で上記実施形態に多くの修正及び変更を加え得ることは勿論である。例えば、一般部用タイルユニット３や目地部用タイルユニット４、４４、５０・・におけるタイル１０・・の配置は、必ずしも上記のような櫛歯状とする必要はなく、例えば全体的に正方形状や長方形状に配置させるようにしても良い。
【符号の説明】
【００５４】
２・・外壁下地材、４、４４、５０・・目地部用タイルユニット、５・・目地部、８・・凹所、１０・・目地部用タイルユニットのタイル、１５・・ユニット本体、１６・・固定板、２０・・基片、２１・・上側突片、２２・・下側突片、２５・・上側突片のビス挿通用長穴、２６・・下側突片のビス挿通用長穴、３０・・ビス、４０・・被覆用タイル、４１、５１・・面ファスナー、４２、５２・・雄面部、４３、５３・・雌面部、４５・・基片のビス挿通用長穴、４６・・タイル間の目地部
【図１】
0005387203.tif 000002
【図２】
0005387203.tif 000003
【図３】
0005387203.tif 000004
【図４】
0005387203.tif 000005
【図５】
0005387203.tif 000006
【図６】
0005387203.tif 000007
【図７】
0005387203.tif 000008
【図８】
0005387203.tif 000009
【図９】
0005387203.tif 000010
【図１０】
0005387203.tif 000011
【図１１】
0005387203.tif 000012
【図１２】
0005387203.tif 000013
【図１３】
0005387203.tif 000014
【図１４】
0005387203.tif 000015